(57)【要約】【課題】介護者の負担を軽減することのできる可搬式身体洗浄装置を提供する。【解決手段】装置筐体２を具備し、該装置筐体２内には、エアポンプ部１０とウォータポンプ部２０とが設けられ、前記ウォータポンプ部２０は、洗剤液５０を吸引するための洗剤液吸引管２２と、洗剤が含まれていない基準液５１を吸引するための基準液吸引管２３と、各吸引管２２，２３によって吸引された液を吐出する液吐出管２４と、該洗剤液吸引管２２及び該基準液吸引管２３のうちいずれか一方を選択する第一三方弁２５と、を有し、前記装置筐体２に設けられた吐出ポート２７，２８には、装置筐体２の外に配置されるシャワーヘッド３１，４１が接続され、該シャワーヘッド３１，４１からミストを吐出できる可搬式身体洗浄装置１を提供する。【選択図】図１
2016034434.tif 000002
【特許請求の範囲】
【請求項１】
身体を洗浄するための可搬式身体洗浄装置であって、
装置本体を構成する装置筐体を具備し、該装置筐体内には、エアポンプ部とウォータポンプ部とが設けられ、
前記ウォータポンプ部は、
本体部と、
洗剤が含まれる洗剤液を前記本体部に吸引するための洗剤液吸引管と、
洗剤が含まれていない基準液を前記本体部に吸引するための基準液吸引管と、
各吸引管によって吸引された液を前記本体部から吐出する液吐出管と、
該洗剤液吸引管及び該基準液吸引管のうちいずれか一方を選択する吸引管選択手段と、
を有し、
前記液吐出管の末端は、装置筐体の筐壁部に設けられた吐出ポートに接続されていると共に、該吐出ポートには、装置筐体の外に配置される噴射用先端具が接続されており、
また、前記液吐出管には、前記エアポンプ部に設けられているエア吐出管が接続され、該エア吐出管が接続する位置よりも下流に向けて、該液吐出管内を流動する液と、該エア吐出管内を流動する気体とが混合されて生成されたミストが流動している
ことを特徴とする可搬式身体洗浄装置。
【請求項２】
前記装置筐体の筐壁部には、複数の吐出ポートが設けられており、
前記液吐出管の末端は、複数の吐出ポートの各々に接続され、
さらに、複数の吐出ポートのうちいずれか一つを選択する吐出ポート選択手段を具備し、
該吐出ポート選択手段により選択された吐出ポートに対応する噴射用先端具から前記ミストが噴出する
請求項１に記載の可搬式身体洗浄装置。
【請求項３】
前記複数の吐出ポートのうち、第一の吐出ポートに着脱自在に接続されている噴射用先端具が、洗髪用シャワーヘッドであり、
第二の吐出ポートに着脱自在に接続されている噴射用先端具が、陰部洗浄用シャワーヘッドである
請求項２に記載の可搬式身体洗浄装置。
【請求項４】
前記洗剤液が入れられた洗剤液槽部と、前記基準液が入れられた基準液槽部とを有する液タンクを備え、
前記装置筐体が該液タンクの上部に着脱自在に積載され、かつ、前記洗剤液吸引管の末端が前記洗剤液槽部の洗剤液内に挿入されていると共に、前記基準液吸引管の末端が前記基準液槽部の基準液内に挿入されている
請求項１乃至請求項３のいずれか１項に記載の可搬式身体洗浄装置。
【請求項５】
前記洗剤液槽部の洗剤液及び／又は前記基準液槽部の基準液を加温する加温装置を備えている
請求項４に記載の可搬式身体洗浄装置。
【請求項６】
請求項１乃至請求項５のいずれか１項に記載の可搬式身体洗浄装置を用いた身体洗浄方法であって、
前記吸引管選択手段により前記ウォータポンプの前記洗剤液吸引管を選択して洗剤液を吸引し、該洗剤液で構成されたミストを、前記噴射用先端具を介して身体に噴射する洗剤液噴射工程と、
前記吸引管選択手段により前記ウォータポンプの前記基準液吸引管を選択して基準液を吸引し、該基準液で構成されたミストを、前記噴射用先端具を介して身体に噴射する基準液噴射工程と、
を含むことを特徴とする身体洗浄方法。
【請求項７】
請求項３乃至請求項５のいずれか１項に記載の可搬式身体洗浄装置を用いた身体洗浄方法であって、
前記吐出ポート選択手段により前記第一の吐出ポートを選択し、前記洗髪用シャワーヘッドを用いて洗髪する洗髪工程と、
前記吐出ポート選択手段により前記第二の吐出ポートを選択し、前記陰部洗浄用シャワーヘッドを用いて陰部を洗浄する陰部洗浄工程と、
を含むことを特徴とする身体洗浄方法。
【発明の詳細な説明】
【技術分野】
【０００１】
本発明は、主として要介護者の頭部や陰部等をミストシャワーによって洗浄するための可搬式身体洗浄装置、及び該可搬式身体洗浄装置を用いた身体洗浄方法に関する。
【背景技術】
【０００２】
従来から、高齢であることや、病気であることを理由にベッドで寝たきりの生活をおくる要介護者は、入浴することが困難であるため、介護者によって洗髪や陰部の洗浄をしてもらう必要がある。
【０００３】
ところで、洗髪作業にあっては、例えば特許文献１で開示されているような移動式洗髪器がすでに知られている。また、該移動式洗髪器を使用しない施設や在宅介護にあっては、特許文献２で開示されているような液体射出用容器が用いられることもすでに知られている。また、特許文献３で開示されているような、折畳み洗髪器等も既に知られている。
【０００４】
また、陰部洗浄にあっては、特許文献２に開示されている液体射出用容器を用いて、要介護者の下に敷いた吸水シートで洗浄水を吸収させつつ作業を行うことも既に知られている。
【０００５】
また、特許文献４には、身体を洗浄する際にミスト流を利用する手法が開示されている。
【先行技術文献】
【特許文献】
【０００６】
【特許文献１】実開平８−１０５０号公報
【特許文献２】実用新案登録第３０７４７６０号公報
【特許文献３】実開平７−３３２０３号公報
【特許文献４】特開２０１１−５０８５７号公報
【発明の概要】
【発明が解決しようとする課題】
【０００７】
しかしながら、上記特許文献１で開示されているような移動式洗髪器においては、洗髪以外には対応できず、また、水を大量に消費するため装置が大型化し、持ち運びが困難であるという問題がある。したがって、例えば、在宅介護のような現場では採用が難しい。また、特許文献２で開示されているような液体射出容器においても、水を大量に消費するため、受け材が大型化すると共に、洗浄中の水を受けるために吸水シートを頻繁に取り替える必要があり、作業が煩雑になるという問題がある。
【０００８】
そこで本発明は、ミストを用いて液の使用量を抑え、介護者の負担を軽減することができる可搬式身体洗浄装置を提供することを目的とする。
【課題を解決するための手段】
【０００９】
本発明は、身体を洗浄するための可搬式身体洗浄装置であって、装置本体を構成する装置筐体を具備し、該装置筐体内には、エアポンプ部とウォータポンプ部とが設けられ、前記ウォータポンプ部は、本体部と、洗剤が含まれる洗剤液を前記本体部に吸引するための洗剤液吸引管と、洗剤が含まれていない基準液を前記本体部に吸引するための基準液吸引管と、各吸引管によって吸引された液を前記本体部から吐出する液吐出管と、該洗剤液吸引管及び該基準液吸引管のうちいずれか一方を選択する吸引管選択手段と、を有し、前記液吐出管の末端は、装置筐体の筐壁部に設けられた吐出ポートに接続されていると共に、該吐出ポートには、装置筐体の外に配置される噴射用先端具が接続されており、また、前記液吐出管には、前記エアポンプ部に設けられているエア吐出管が接続され、該エア吐出管が接続する位置よりも下流に向けて、該液吐出管内を流動する液と、該エア吐出管内を流動する気体とが混合されて生成されたミストが流動していることを特徴とする可搬式身体洗浄装置である。
【００１０】
かかる構成にあっては、いわゆるミストシャワーを使用するため洗浄効果が向上し、一度に使用する液の量を減少させることができる。また、洗浄液の使用量を減少させることができるため、該洗浄液を受ける容器を簡易構造とすることができ、介護者の作業負担が軽減される。また、本発明の装置は、洗剤液吸引管と基準液吸引管とを単一の筐体内に備えるため、装置が全体的にコンパクト化され、持ち運びが容易である。さらに吸引管選択手段によって洗剤液と基準液とを所望のタイミングで選択することができため、作業効率が大幅に向上する利点がある。具体的には、まず洗剤が含まれる洗浄液によって洗浄し、その後洗浄液が含まれていない基準液によって洗浄部分をすすぐことが迅速に行える。
【００１１】
また、前記装置筐体の筐壁部には、複数の吐出ポートが設けられており、前記液吐出管の末端は、複数の吐出ポートの各々に接続され、さらに、複数の吐出ポートのうちいずれか一つを選択する吐出ポート選択手段を具備し、該吐出ポート選択手段により選択された吐出ポートに対応する噴射用先端具から前記ミストが噴出する構成が提案される。
【００１２】
かかる構成とすることによって、前記複数の吐出ポートにそれぞれ異なる噴射態様の噴射用先端具を取り付けておき、それを前記吐出ポート選択手段によって適宜選択することによって、使用用途に応じて最適な噴射用先端具を使用することができる。
【００１３】
さらに、前記複数の吐出ポートのうち、第一の吐出ポートに着脱自在に接続されている噴射用先端具が、洗髪用シャワーヘッドであり、第二の吐出ポートに着脱自在に接続されている噴射用先端具が、陰部洗浄用シャワーヘッドであることが望ましい。
【００１４】
かかる構成とすることによって、１台の可搬式身体洗浄装置を用いて、洗髪も陰部洗浄も行うことができる。
【００１５】
そして、前記洗剤液が入れられた洗剤液槽部と、前記基準液が入れられた基準液槽部とを有する液タンクを備え、前記装置筐体が該液タンクの上部に着脱自在に積載され、かつ、前記洗剤液吸引管の末端が前記洗剤液槽部の洗剤液内に挿入されていると共に、前記基準液吸引管の末端が前記基準液槽部の基準液内に挿入されていることが望ましい。
【００１６】
かかる構成にあっては、前記液タンクと前記装置筐体とを接続可能とすることで、装置全体をさらにコンパクト化することができる。また、前記液タンクを適宜着脱することで、液の補充あるいは廃棄を柔軟に行うことが可能となる。なお、本発明の可搬式身体洗浄装置はミストシャワーを用いる構造であるため、一度に使用される液の量が少なく、前記液タンクは小容量のもので済む。
【００１７】
また、前記洗剤液槽部の洗剤液及び／又は前記基準液槽部の基準液を加温する加温装置を備えていることが望ましい。
【００１８】
かかる構成とすることによって、要介護者（使用者）にとって快適な液温で洗浄行為を行うことができる。
【００１９】
そして、本発明は前記可搬式身体洗浄装置を用いた身体洗浄方法であって、前記吸引管選択手段により前記ウォータポンプの前記洗剤液吸引管を選択して洗剤液を吸引し、該洗剤液で構成されたミストを、前記噴射用先端具を介して身体に噴射する洗剤液噴射工程と、前記吸引管選択手段により前記ウォータポンプの前記基準液吸引管を選択して基準液を吸引し、該基準液で構成されたミストを、前記噴射用先端具を介して身体に噴射する基準液噴射工程と、を含むことを特徴とする身体洗浄方法である。
【００２０】
かかる構成にあっては、まず洗剤液で構成されたミストシャワーによって要介護者の身体を洗浄し、その後基準液で構成されたミストシャワーによって要介護者の身体をすすぐことが可能となる。
【００２１】
また、本発明は前記吐出ポート選択手段により前記第一の吐出ポートを選択し、前記洗髪用シャワーヘッドを用いて洗髪する洗髪工程と、前記吐出ポート選択手段により前記第二の吐出ポートを選択し、前記陰部洗浄用シャワーヘッドを用いて陰部を洗浄する陰部洗浄工程と、を含むことを特徴とする身体洗浄方法である。
【００２２】
かかる構成にあっては、噴射用先端具を洗髪用シャワーヘッドと陰部洗浄用シャワーヘッドとの２種用意しておき、洗髪作業と陰部洗浄作業とを前記吐出ポート選択手段によって適宜切り換えて、連続的に行うことができる。
【発明の効果】
【００２３】
本発明の可搬式身体洗浄装置は、ミストシャワーを使用することで洗浄効果が向上すると共に、一度に使用する液の量を減少させることができる。また、単一の装置筐体に対して、洗剤液吸引管と基準液吸引管とが備えられ、さらに各吸引管を選択する吸引管選択手段液が設けられているため、装置が全体的にコンパクト化され、持ち運びが容易となると共に、作業効率が大幅に向上する効果がある。
【００２４】
また、本発明の身体洗浄方法は、使用状況に応じて洗浄作業を連続的に行うことが可能となる効果がある。
【図面の簡単な説明】
【００２５】
【図１】実施例にかかる可搬式身体洗浄装置の正面図である。
【図２】実施例にかかる可搬式身体洗浄装置の平面図である。
【図３】実施例にかかる可搬式身体洗浄装置の内部構造を示す概要図である。
【図４】実施例にかかるシャワーを示し、（ａ）は洗髪用シャワーの外観斜視図、（ｂ）は陰部洗浄用シャワーの外観斜視図である。
【図５】実施例にかかる洗髪工程を説明する説明図である。
【図６】実施例にかかる陰部洗浄工程を説明する説明図である。
【図７】他の実施例にかかる可搬式身体洗浄装置の正面図である。
【発明を実施するための形態】
【００２６】
以下、本発明の可搬式身体洗浄装置を具体化した実施例を詳細に説明する。なお、本発明は、下記に示す実施例に限定されることはなく、適宜設計変更が可能である。
【００２７】
図１，２に示すように、可搬式身体洗浄装置１は、装置本体を構成する装置筐体２を具備し、該装置筐体２の上面には持ち手３が取り付けられている。また、該装置筐体２の上面には、搬送を容易とするため、ショルダーベルト（図示せず）が接続されるリング４，４が取り付けられている。
【００２８】
また、前記装置筐体２の筐壁部である正面部２ａには、ランプ付き電源スイッチ５と、後述するタンク切換スイッチノブ２５ａ、及びホース切換スイッチノブ２６ａが配設されている。さらに、該正面部２ａには、第一吐出ポート２７、及び第二吐出ポート２８が設けられている。
【００２９】
さらに、前記装置筐体２の背面には、電源コード６と、ポンプのオンオフを制御するフットスイッチのコード７ａが接続されている。
【００３０】
さらに、前記装置筐体２の下部からは、後述する洗剤液吸引管２２と、基準液吸引管２３とが下向きに差し出されている。
【００３１】
また、前記装置筐体２の下側には、液タンク８が備えられている。さらに詳述すると、該液タンク８は、左右２槽に分割されており、それぞれ洗剤液槽部８ａと基準液槽部８ｂとに分別されている。そして、該洗剤液槽部８ａには、洗剤液５０が入れられており、一方、該基準液槽部８ｂには基準液５１が入れられている。
【００３２】
ここで、前記洗剤液５０としては、身体洗浄用の洗剤が含まれる水溶液が採用されうる。また、前記基準液５１としては、洗剤が含まれない水が採用されうる。ただし、洗剤液５０、及び基準液５１は、水を主要成分とするものに限定されず、他の構成であってもよい。
【００３３】
そして、前記洗剤液吸引管２２の末端が、該洗剤液槽部８ａの液内に挿入されていると共に、前記基準液吸引管２３の末端が、該基準液槽部８ｂの液内に挿入されている。
【００３４】
また、前記装置筐体２と、前記液タンク８とは、脱着可能に接続されており、液タンク８上に載置されている装置筐体２を適宜取り外すことが可能となっている。したがって、適宜、装置筐体２と液タンク８とを切り離して、液タンク８に液を補充したり、液を廃棄したりすることが可能となっている。また、適宜、装置筐体２と液タンク８とを接続させ、一体化させた上で持ち運ぶことも可能である。
【００３５】
なお、本実施例における装置筐体２の寸法は、横幅が約２１０ｍｍ、高さが約１４０ｍｍ、奥行きが約２１０ｍｍであり、重さは約３．６ｋｇであり、容易に持ち運びできる。また、液タンク８の大きさは、横幅が約２１０ｍｍ、高さが約１３０ｍｍ、奥行きが約２１０ｍｍである。勿論、これらの寸法は、適宜変更可能である。
【００３６】
次に、前記装置筐体２の内部構造について説明する。
図３に示すように、装置筐体２の内部には、エアポンプ部１０とウォータポンプ部２０とが設けられている。
【００３７】
前記ウォータポンプ部２０は、本体部であるウォータポンプ２１を備え、該ウォータポンプ２１には、洗剤液５０を吸引するための前記洗剤液吸引管２２が接続されている。同様に、該ウォータポンプ２１には、基準液５１を吸引するための前記基準液吸引管２３が接続されている。加えて、該ウォータポンプ２１には、各吸引管２２，２３によって吸引された液を吐出する液吐出管２４が接続されている。そして、液吐出管２４の末端が、前記第一吐出ポート２７と前記第二吐出ポート２８とに枝分かれして接続されている。
【００３８】
さらに、前記ウォータポンプ部２０は、前記洗剤液吸引管２２及び前記基準液吸引管２３のうちいずれか一方を選択して有効化することができる吸引管選択手段としての第一三方弁２５を備えている。さらに詳述すると、該第一三方弁２５は、前記装置筐体２の正面部２ａに取り付けられたタンク切換スイッチノブ２５ａ（図１参照）によって弁の向きを制御可能とされている。そして、該タンク切換スイッチノブ２５ａにより、吸引対象の液を適宜選択することが可能となっている。
【００３９】
また、前記液吐出管２４には、吐出ポート選択手段としての第二三方弁２６が配設されている。さらに詳述すると、該第二三方弁２６は、前記液吐出管２４の配送先であるポートを、第一吐出ポート２７及び第二吐出ポート２８のうち、いずれか一方を選択して有効化することが可能とされている。具体的には、該第二三方弁２６は、前記装置筐体２の正面部２ａに取り付けられたホース切換スイッチノブ２６ａ（図１参照）によって弁の向きを制御可能とされている。
【００４０】
また、前記液吐出管２４には、前記エアポンプ部１０のエアポンプ１１によって空気が導入されるエア吐出管１２が接続されている。そして、該エア吐出管１２が接続する位置よりも下流側には、該液吐出管２４内を流動する液と、該エア吐出管内を流動する空気とが混合されて生成されたミストが流動している。なお、ミストの生成手法は公知技術であるため、詳細な説明は省略するものとする。
【００４１】
次に、図４に従ってシャワーヘッドについて説明する。
前記第一吐出ポート２７には、図４ａに示すような洗髪用シャワー３０が着脱自在に取り付けられる。該洗髪用シャワー３０は、ミストシャワーが噴射される噴射孔３１１が複数設けられた噴射用先端具である洗髪用シャワーヘッド３１と、一端が該洗髪用シャワーヘッド３１に取り付けられたホース３２と、該ホース３２の他端に取り付けられた接続継手（カプラ）３３と、で構成されている。なお、前記接続継手３３は、前記第一吐出ポート２７と着脱自在に接続可能となっている。
【００４２】
これに対し、前記第二吐出ポート２８には、図４ｂに示すような陰部洗浄用シャワー４０が着脱自在に取り付けられる。該陰部洗浄用シャワー４０は、ミストシャワーが噴射される噴射孔４１１が設けられた噴射用先端具である陰部洗浄用シャワーヘッド４１と、一端が該陰部洗浄用シャワーヘッド４１に取り付けられたホース４２と、該ホース４２の他端に取り付けられた着脱自在な接続継手（カプラ）４３と、で構成されている。なお、前記接続継手４３は、前記第二吐出ポート２８と着脱自在に接続可能となっている。
【００４３】
次に、図３に従って、液及びエアー（空気）の流通経路を再度詳述する。
まず、前記タンク切換スイッチノブ２５ａを洗剤液側に回して洗剤液吸引管２２を選択することを設定することで前記第一三方弁２５は前記洗剤液吸引管２２と前記ウォータポンプ２１とが連通するように制御される。また、前記ホース切換スイッチノブ２６ａを、第一吐出ポート２７側に設定することで、第一吐出ポート２７と前記液吐出管２４とが連通するように制御される。
【００４４】
この状態で前記フットスイッチを踏み込むと、前記ウォータポンプ２１がオンとなって作動開始し、前記洗剤液槽部８ａ内の洗剤液５０が前記洗剤液吸引管２２から吸引され、前記第一三方弁２５を通った後、液吐出管２４を介して前記第一吐出ポート２７へ向かう。また、同時に、前記エアポンプ１１も作動開始し、空気が前記エア吐出管１２を介して、前記液吐出管２４に導入され、該洗剤液５０を含むミストが該第一吐出ポート２７から吐出される。
【００４５】
一方、前記タンク切換スイッチノブ２５ａを基準液側に設定すると、フットスイッチの操作に伴い、前記基準液槽部８ｂ内の基準液５１が前記基準液吸引管２３から吸引され、前記第一三方弁２５を通った後、液吐出管２４を介して前記第一吐出ポート２７へ向かう。そして、基準液５１で構成されるミストが該第一吐出ポート２７から吐出される。
【００４６】
上記構成によれば、洗剤液５０と基準液５１のミストシャワーの吐出を三方弁２５，２６の切り換えのみで行うことができるため、操作が大幅に簡便となる。
【００４７】
次に、可搬式身体洗浄装置１を用いた身体洗浄方法を説明する。
図５に示すように、洗髪作業を行う場合には、まず前記洗剤液槽部８ａにシャンプー入りの湯を入れておくと共に、前記基準液槽部８ｂには湯を入れておき、そして要介護者を仰向けに寝かせ、頭部の下に吸水シートＳを敷く。必要であれば首の下にタオルＴを置いてもよい。この状態で前記タンク切換スイッチノブ２５ａを洗剤液側に設定し、かつ、前記ホース切換スイッチノブ２６ａを前記第一吐出ポート２７側に設定する。そして該可搬式身体洗浄装置１のフットスイッチを踏み込んで、該第一吐出ポート２７に接続された前記洗髪用シャワー３０の洗髪用シャワーヘッド３１の噴射孔３１１からシャンプー入りの湯のミストシャワーを吐出して要介護者の頭部を洗髪する。かかる工程により、本発明にかかる洗髪工程、及び洗浄液噴射工程が実現される。
【００４８】
次に、要介護者の頭髪がシャンプーによって十分に洗浄されたら、一旦前記フットスイッチから足を離してミストの噴射を停止し、前記タンク切換スイッチノブ２５ａを基準液側に設定して再度フットスイッチを踏み込む。そうすると前記洗髪用シャワーヘッド３１からは、洗剤を含まない湯のミストシャワーが噴射される。これにより、要介護者の頭髪をすすぐことが可能となる。その後は吸水シートＳを取り除き、頭部をタオル等で拭いた後にドライヤー等で乾かせばよい。かかる工程により、本発明にかかる基準液噴射工程が実現される。
【００４９】
洗髪に使用するのはミストシャワーであり、使用される液量は少量で済むため、節水効果が高く、特別に排水受け等を用意する必要がない。また、洗髪に限らず、身体清拭においてもシャンプー入りの湯の替わりにボディソープ入りの湯を用いることで同様の作業を行うこともできる。
【００５０】
一方、例えば図６に示すように、陰部洗浄作業を行う場合には、前記洗剤液槽部８ａにボディソープ入りの湯を入れておくと共に、前記基準液槽部８ｂに湯を入れておく。そして要介護者を俯けに寝かせて紙おむつ等を外して肌を露出させ、腰の下に吸水シートＳを敷く。この状態で前記タンク切換スイッチノブ２５ａを洗剤液側に設定し、かつ、前記ホース切換スイッチノブ２６ａを前記第二吐出ポート２８側に設定する。そして、該第二吐出ポート２８に接続された前記陰部洗浄用シャワー４０の陰部洗浄用シャワーヘッド４１の噴射孔４１１からボディソープ入りの湯のミストシャワーを要介護者の陰部及び肛門周辺に当てて洗浄する。かかる工程により、本発明にかかる陰部洗浄工程、及び洗剤液噴射工程が実現される。
【００５１】
そして、要介護者の陰部が洗剤入りの湯によって十分に洗浄されたら、前記タンク切換スイッチノブ２５ａを基準液側に設定して要介護者の陰部をすすぐ。その後は吸水シートＳを取り除き、ティッシュやトイレットペーパー、あるいは必要に応じて蒸しタオル等で拭き、新しい紙おむつを装着すればよい。
【００５２】
かかる工程にあっても、使用するのはミストシャワーであり、使用される液量は少量で済むため、節水効果が高い。勿論、排水受けや汚水飛散防止カバー等を別途用いても構わない。
【００５３】
なお、図７に示すように、バケツ等の容器８０の上に、装置筐体２を載置した可搬式身体洗浄装置１００としても構わない。すなわち、上述した液タンク８に替えて、汎用の容器８０を用いることも可能である。
【００５４】
また、液タンク８に電熱ヒータ等の加温装置を取り付けて液温調節機能を付与してもよい。また、吐出ポート２７，２８は３つ以上設けられていても構わない。また、液吸引管として、洗剤液吸引管２２と基準液吸引管２３の２種に限らず、３種以上設けても構わない。したがって例えば、シャンプー入りの湯、ボディソープ入りの湯、及びすすぎ用の湯、といった相異なる３種の液を選択的に吐出可能としたものとしてもよい。また、電源をオンオフするためのスイッチは、他の形態であっても勿論よい。
【符号の説明】
【００５５】
１，１００  可搬式身体洗浄装置
２          装置筐体
８          液タンク
８ａ        洗剤液槽部
８ｂ        基準液槽部
１０        エアポンプ部
１１        エアポンプ
１２        エア吐出管
２０        ウォータポンプ部
２１        ウォータポンプ（本体部）
２２        洗剤液吸引管
２３        基準液吸引管
２４        液吐出管
２５        第一三方弁（吸引管選択手段）
２６        第二三方弁（吐出ポート選択手段）
２７        第一吐出ポート
２８        第二吐出ポート
３１        洗髪用シャワーヘッド（噴射用先端具）
４１        陰部洗浄用シャワーヘッド（噴射用先端具）
５０        洗剤液
５１        基準液
【図１】
2016034434.tif 000003
【図２】
2016034434.tif 000004
【図３】
2016034434.tif 000005
【図４】
2016034434.tif 000006
【図５】
2016034434.tif 000007
【図６】
2016034434.tif 000008
【図７】
2016034434.tif 000009